(57)【要約】【課題】ワイヤロープの回転を無くして寿命を長くしたエレベータ制御ケーブルとその吊り手装置を提供する。【解決手段】制御ケーブルは、平形の被覆内に、幅方向に離間した第１撚り方向の第１および第２ワイヤロープと、第１および第２ワイヤロープに対して厚さ方向に離間し、互いに幅方向に離間し、第２撚り方向の第３および第４ワイヤロープとを備えている。吊り手装置は、第１および第４ワイヤロープの露出端部を掛け回すカラーと、これらの露出端部に第２および第３ワイヤロープの露出端部をそれぞれ締結する締結具とを備えている。【効果】ワイヤロープ摩耗を減らして長寿命化ができる。【選択図】図１
2011037622.tif 000002
【特許請求の範囲】
【請求項１】
電線と、
上記電線に沿って上記電線を被覆する平形の被覆と、
上記電線に沿って上記被覆を貫通して設けられ、上記被覆の幅方向に互いに離間した第１撚り方向の第１および第２ワイヤロープと、
上記第１および第２ワイヤロープに対して上記被覆の厚さ方向に離間し、上記被覆の幅方向に互いに離間し、上記第１撚り方向と異なる第２撚り方向の第３および第４ワイヤロープとを備え、
上記第１〜第４ワイヤロープはそれぞれ、露出端部が上記被覆２から露出されて、エレベータのかご側あるいは建物側に連結され得ることを特徴とするエレベータ制御ケーブル。
【請求項２】
電線と、
上記電線に沿って上記電線を被覆する平形の被覆と、
上記電線に沿って上記被覆を貫通して設けられ、上記被覆の幅方向に互いに離間した第１撚り方向の第１および第２ワイヤロープと、
上記第１および第２ワイヤロープに対して上記被覆の厚さ方向に離間し、上記被覆の幅方向に互いに離間し、上記第１撚り方向と異なる第２撚り方向の第３および第４ワイヤロープとを備え、
上記第１〜第４ワイヤロープはそれぞれ、端部が上記被覆から露出されて、エレベータのかご側あるいは建物側に連結され得るエレベータ制御ケーブルのための吊り手装置であって、
上記被覆から露出された上記第１ワイヤロープおよび上記第４ワイヤロープの露出端部を掛け回して支持するカラーと、
上記被覆から露出させた上記第２ワイヤロープおよび上記第３ワイヤロープの露出端部をそれぞれ、上記カラーに掛け回された上記第１ワイヤロープおよび上記第４ワイヤロープの露出端部に締結するワイヤ締結具とを備えたことを特徴とするエレベータ制御ケーブル吊り手装置。
【請求項３】
上記カラーは上記第１および第３ワイヤロープの露出端部を受け入れる２本の周方向溝を持つ回転可能な部材であることを特徴とする請求項２に記載のエレベータ制御ケーブル吊り手装置。
【請求項４】
上記第１および第２ワイヤロープを互いに締結する上記ワイヤ締結具が、上記第３および第４ワイヤロープを互いに締結する上記ワイヤ締結具に対して上記被覆２の厚さ方向にずらして配置されていることを特徴とする請求項２あるいは３に記載のエレベータ制御ケーブル吊り手装置。
【発明の詳細な説明】
【技術分野】
【０００１】
この発明はエレベータのかご側と昇降路側との間に接続されるエレベータ制御ケーブルおよびその吊手装置に関するものである。
【背景技術】
【０００２】
従来のエレベータ制御ケーブルおよびその吊手装置は一般に、制御ケーブル内に通して設けられたワイヤロープを巻き掛けて吊り下げるワイヤロープ懸垂手段と、巻き掛けられて吊り下げられた一方のワイヤロープと他方のワイヤロープとの各々の端部を重ねて連結するワイヤロープ連結部を備えている。制御ケーブルの重量を支えるエレベータ制御ケーブル吊り手装置においては、ワイヤロープの撚りによる回転を防いで端部のワイヤロープの延命化を図るために、連結側のワイヤロープと非連結側のワイヤロープとを繋ぎ、連結した側のワイヤロープの回転を非連結側のワイヤロープをストッパーとして防止する回転防止具と、連結側のワイヤロープと非連結側のワイヤロープの間隔に対して大きい直径を有するカラーに懸垂された各々のワイヤロープの間隔をケーブル構成部のワイヤロープ間隔とを一致させるように案内するワイヤロープ間隔矯正手段を設けたものがある（例えば特許文献１参照）。
【先行技術文献】
【特許文献】
【０００３】
【特許文献１】特開平９−１３２３６６号公報
【発明の概要】
【発明が解決しようとする課題】
【０００４】
このような従来のエレベータ制御ケーブルおよびその吊り手装置においては、異なった撚り方向のワイヤロープ同士が繋いであるため、ロープ張力の増減があると、各々異なった撚り方向のストランドの撚れが伸びようとする力により、制御ケーブルは長手方向を軸として回転する。昇降行程が２００ｍを超すような超高層ビルの場合は、かご位置による制御ケーブルの吊り重量の差が大きくなるので、制御ケーブルの回転を生じやすい。従来の回転防止具では、制御ケーブルの回転を完全に抑えることはできず、制御ケーブル内のワイヤロープがカラーやホルダー部で擦れて、制御ケーブル内のワイヤロープの短寿命化の問題が起こる可能性があり、制御ケーブルの交換となると、多大な費用がかかる。このように、従来のエレベータ制御ケーブルおよびその吊り手装置によっては、制御ケーブルの長手方向軸まわりの回転を低減はできるが、完全に無くすことはできず、ケーブルの多少の回転によってワイヤロープとワイヤロープ案内部との間の擦れによるロープ摩耗が生じる。
【０００５】
従ってこの発明の目的は、回転を無くしてワイヤロープの寿命を長くしたエレベータ制御ケーブルおよびその吊り手装置を提供することである。
【課題を解決するための手段】
【０００６】
この発明のエレベータ制御ケーブルは、電線と、上記電線に沿って上記電線を被覆する平形の被覆と、上記電線に沿って上記被覆を貫通して設けられ、上記被覆の幅方向に互いに離間した第１撚り方向の第１および第２ワイヤロープと、上記第１および第２ワイヤロープに対して上記被覆の厚さ方向に離間し、上記被覆の幅方向に互いに離間し、上記第１撚り方向と異なる第２撚り方向の第３および第４ワイヤロープとを備え、上記第１〜第４ワイヤロープはそれぞれ、端部が上記被覆から露出されて、エレベータのかご側あるいは建物側に連結され得ることを特徴とするものである。
【０００７】
またこの発明のエレベータ制御ケーブル吊り手装置は、電線と、上記電線に沿って上記電線を被覆する平形の被覆と、上記電線に沿って上記被覆を貫通して設けられ、上記被覆の幅方向に互いに離間した第１撚り方向の第１および第２ワイヤロープと、上記第１および第２ワイヤロープに対して上記被覆の厚さ方向に離間し、上記被覆の幅方向に互いに離間し、上記第１撚り方向と異なる第２撚り方向の第３および第４ワイヤロープとを備え、上記第１〜第４ワイヤロープはそれぞれ、端部が上記被覆から露出されて、エレベータのかご側あるいは建物側に連結され得る制御ケーブルのための吊り手装置であって、上記被覆から露出された上記第１ワイヤロープおよび上記第４ワイヤロープの露出端部を掛け回して支持するカラーと、上記被覆から露出させた上記第２ワイヤロープおよび上記第３ワイヤロープの露出端部をそれぞれ、上記カラーに掛け回された上記第１ワイヤロープおよび上記第４ワイヤロープの露出端部に締結するワイヤ締結具とを備えたことを特徴とするものである。
【発明の効果】
【０００８】
この発明の装置によれば、制御ケーブルの回転を無くすことができ、制御ケーブル内のワイヤロープ摩耗の延命化が図れ、より一層の長寿命化を図ることができ、制御ケーブルの交換費用を削減できる。
【図面の簡単な説明】
【０００９】
【図１】この発明のエレベータ制御ケーブルおよびその吊り手装置を示す概略正面図である。
【図２】図１のエレベータ制御ケーブルを示す図１の線ＩＩ−ＩＩに沿った概略断面図である。
【図３】図１の線ＩＩＩ−ＩＩＩに沿った概略断面図である。
【図４】この発明のエレベータ制御ケーブル吊り手装置の概要を示す概略斜視図である。
【発明を実施するための形態】
【００１０】
以下、この発明のエレベータ制御ケーブルおよびその吊り手装置の実施の形態について説明する。
【００１１】
実施の形態１．
図１〜４に示すように、この発明のエレベータ制御ケーブルは、平行に配置された信号線および電力線などの複数の電線１と、電線１に沿って電線１を被覆する平形の被覆２と、電線１に沿って平行に被覆２を貫通して設けられた４本の補強線、すなわちそれぞれ撚り合わせた複数のストランドからなる第１ワイヤロープ３、第２ワイヤロープ４、第３ワイヤロープ５および第４ワイヤロープ６とを備えている。これらの第１〜第４ワイヤロープ３〜６のうち、第１ワイヤロープ３および第２ワイヤロープ４は、被覆２の幅方向に互いに離間して配置され、例えばＳ撚りである第１撚り方向に撚った一対のワイヤロープであり、第３ワイヤロープ５および第４ワイヤロープ６は、同様に幅方向に互いに離間して配置され、第１撚り方向とは異なるＺ撚りである第２撚り方向に撚った別の一対のワイヤロープである。これらの２つの対、すなわち第１および第２ワイヤロープ３、４と、第３および第４ワイヤロープ５、６とは、互いに被覆２の厚さ方向に離間していて、４本のワイヤロープは矩形の各角部に配置された状態となっている。また、第１〜第４ワイヤロープ３〜６はそれぞれ、被覆２から露出された露出端部７〜１０を持ち、この露出端部７〜１０によってエレベータのかご側あるいは建物側に連結され得るものである。被覆２の端面から引き出された電線１は図示を省略してある。
【００１２】
図２に詳細に示すように、このようなエレベータ制御ケーブルをエレベータのかご側あるいは建物側に連結するためのエレベータ制御ケーブル吊り手装置は、被覆２から露出された第１ワイヤロープ３の露出端部７および第４ワイヤロープ６の露出端部１０を掛け回して支持するカラー１１と、被覆２から露出させた第２ワイヤロープ４の露出端部８および第３ワイヤロープ５の露出端部９をそれぞれ、カラーに１１掛け回された第１ワイヤロープ３の露出端部７および第４ワイヤロープ６の露出端部１０に締結するワイヤ締結具１２および１３とを備えている。
【００１３】
カラー１１は、図３に示すように第１および第３ワイヤロープ３および６の露出端部を受け入れる２本の平行な周方向溝１４および１５を持ち、ケーブルハンガ１６に軸１７によって回転可能に取付られたプーリ状の部材である。カラー１１の下方には、第１〜第４のワイヤロープの間隔を規制するホルダ１８が設けられている。また、第１および第２ワイヤロープ３および４を互いに締結するワイヤ締結具１２は、第３および第４ワイヤロープ５および６を互いに締結するワイヤ締結具１３に対して被覆２の厚さ方向にずらして配置されている。
【００１４】
このようなエレベータ制御ケーブルおよびその吊り手装置によれば、制御ケーブルに作用する張力が増減したとき、第１〜第４ワイヤロープ３〜６は、ストランドの撚れが伸びようとする力で長手方向の軸回りに回転するが、制御ケーブル内の左右の同じ撚り同士のワイヤロープを連結した部分（例えば第１ワイヤロープ３と第２ワイヤロープ４とをワイヤ締結具１２で連結した部分、および第３ワイヤロープ５と第４ワイヤロープ６とをワイヤ締結具１３で連結した部分）では、回転力を打ち消しあう。連結しない側のワイヤロープ（例えば第１ワイヤロープ３および第４ワイヤロープ６のカラー１１と被覆２との間の部分）は、ワイヤロープが軸回転し、平形制御ケーブルを回転させようとするが、連結部を第１撚り方向（ｓ撚り）と第２撚り方向（ｚ撚り）のワイヤロープでそれぞれ左右を逆にすることにより、撚りの異なる連結しない側のワイヤロープ同士で回転力が打ち消しあうので、平形制御ケーブルは回転しない。
【００１５】
制御ケーブルが長手軸方向に回転すると、吊り下げられた制御ケーブルの動特性が悪化し、制御ケーブルとかごや、制御ケーブルと昇降路機器との干渉の可能性があるが、上記により、制御ケーブルの動特性を悪化させることなく、制御ケーブルの回転による制御ケーブル内のワイヤロープがカラー部での擦れて摩耗することの低減が図れ、制御ケーブルの延命化が図れる。
【００１６】
以上に図示して説明したエレベータ制御ケーブルおよびその吊り手装置は、単なる例であって様々な変形が可能であり、またそれぞれの具体例の特徴を全てあるいは選択的に組み合わせて用いることもできる。
【産業上の利用可能性】
【００１７】
この発明はエレベータ制御ケーブルおよびその吊り手装置に利用できるものである。
【符号の説明】
【００１８】
１  電線、２  被覆、３  第１ワイヤロープ、４  第２ワイヤロープ、５  第３ワイヤロープ、６  第４ワイヤロープ、７〜１０  露出端部、１１  カラー、１２、１３  ワイヤ締結具、１４、１５  周方向溝、１６  ケーブルハンガ、１７  軸、１８  ホルダ。
【図１】
2011037622.tif 000003
【図２】
2011037622.tif 000004
【図３】
2011037622.tif 000005
【図４】
2011037622.tif 000006